【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
情報処理装置であって、
管理権限を有するユーザの操作に応じて共通の初期画面を設定する第１の設定手段と、
各ユーザの操作に応じてユーザ毎の初期画面を設定する第２の設定手段と、
ユーザ毎の初期画面を表示するか否かを、管理権限を有するユーザの操作に応じて設定する第３の設定手段と、
前記情報処理装置の利用開始時に、前記第３の設定手段によりユーザ毎の初期画面を表示すると設定されていれば、前記第２の設定手段によって設定された初期画面を表示し、前記第３の設定手段によりユーザ毎の初期画面を表示しないと設定されていれば、前記第１の設定手段により設定された初期画面を表示する表示手段と、
を備えることを特徴とする情報処理装置。
【請求項２】
前記第２の設定手段は、初期画面の設定を含むユーザ毎のカスタマイズ設定を行うことを特徴とする請求項１に記載の情報処理装置。
【請求項３】
前記第１の設定手段及び前記第２の設定手段は、前記情報処理装置の利用開始時に起動させる初期機能として指定される機能に対応する画面を前記初期画面として設定することを特徴とする請求項１又は２に記載の情報処理装置。
【請求項４】
ユーザからの認証情報の入力を受け付ける受付手段と、
ユーザによって前記情報処理装置の利用が開始される際に、前記受付手段が受け付けた認証情報に基づいてユーザを認証する第１の認証手段と、
ユーザによって機能が選択された場合に、前記受付手段が受け付けた認証情報に基づいてユーザを認証する第２の認証手段と、を備え、
前記表示手段は、前記第１の認証手段による認証を行う場合であって、前記第１の認証手段による認証が成功した場合は、前記第３の設定に基づく初期画面を表示し、前記第２の認証手段による認証を行う場合であって、前記第２の認証手段による認証が成功した場合は、前記第３の設定手段に基づく初期画面の表示を行わず、認証されたユーザによって選択された機能に対応する操作画面を表示することを特徴とする請求項１から３のいずれか１項に記載の情報処理装置。
【請求項５】
情報処理装置であって、
管理権限を有するユーザの操作に応じて共通の初期画面を設定する第１の設定手段と、
各ユーザの操作に応じてユーザ毎の初期画面を設定する第２の設定手段と、
前記第１の設定手段により設定される初期画面と前記第２の設定手段により設定される初期画面のどちらを優先させるかを、管理権限を有するユーザの操作に応じて設定する第３の設定手段と、
前記情報処理装置の利用開始時に、前記第３の設定手段により設定された内容に基づいて初期画面を表示する表示手段と、
を備えることを特徴とする情報処理装置。
【請求項６】
前記第２の設定手段は、初期画面の設定を含むユーザ毎のカスタマイズ設定を行うことを特徴とする請求項５に記載の情報処理装置。
【請求項７】
前記第１の設定手段及び前記第２の設定手段は、前記情報処理装置の利用開始時に起動させる初期機能として指定された機能に対応する画面を前記初期画面として設定することを特徴とする請求項５又は６に記載の情報処理装置。
【請求項８】
前記表示手段は、前記第３の設定手段が、前記第２の設定手段により設定される初期画面を優先して表示する設定であっても、前記第２の設定手段により初期画面が設定されていない場合は、前記第１の設定手段により設定される初期画面を表示することを特徴とする請求項５から７のいずれか１項に記載の情報処理装置。
【請求項９】
前記表示手段は、前記第１の設定手段及び前記第２の設定手段により初期画面が設定されていない場合は、前記情報処理装置の備える機能を選択するためのメインメニュー画面を表示することを特徴とする請求項５から８のいずれか１項に記載の情報処理装置。
【請求項１０】
ユーザからの認証情報の入力を受け付ける受付手段と、
ユーザによって前記情報処理装置の利用が開始される際に、前記受付手段が受け付けた認証情報に基づいてユーザを認証する第１の認証手段と、
ユーザによって機能が選択された場合に、前記受付手段が受け付けた認証情報に基づいてユーザを認証する第２の認証手段と、を備え、
前記表示手段は、前記第１の認証手段による認証を行う場合であって、前記第１の認証手段による認証が成功した場合は、前記第３の設定手段に基づく初期画面を表示し、前記第２の認証手段による認証を行う場合であって、前記第２の認証手段による認証が成功した場合は、前記第３の設定手段に基づく初期画面の表示を行わず、認証されたユーザによって選択された機能に対応する操作画面を表示することを特徴とする請求項５から９のいずれか１項に記載の情報処理装置。
【請求項１１】
前記表示手段は、前記第３の設定手段が、前記第１の設定手段により設定される初期画面を優先して表示する設定の場合に、前記第１の設定手段により設定される初期画面を表示し、当該初期画面に対応する機能の実行完了後に、前記第２の設定手段により設定される初期画面を表示することを特徴とする請求項５から１０のいずれか１項に記載の情報処理装置。
【請求項１２】
前記表示手段は、前記第１の設定手段により設定される初期画面に対応する機能の実行中に、当該機能に対応しない画面を表示する指示をユーザから受け付けた場合は、前記第２の設定手段により設定される初期画面の表示を行わず、当該指示に対応する操作画面を表示することを特徴とする請求項１１に記載の情報処理装置。
【請求項１３】
前記初期画面は、プリント機能に関する設定画面、コピー機能に関する設定画面、送信機能に関する設定画面、及び前記情報処理装置の備える機能を選択するためのメインメニュー画面を含むことを特徴とする請求項１から１２のいずれか１項に記載の情報処理装置。
【請求項１４】
情報処理装置であって、
前記情報処理装置にログインしているユーザの識別情報を取得する取得手段と、
前記ユーザの識別情報と、当該ユーザが所属するグループの識別情報を関連付けて管理する管理手段と、
管理権限を有するユーザの操作に応じて共通の初期画面を設定する第１の設定手段と、
各ユーザの操作に応じてユーザ毎の初期画面を設定する第２の設定手段と、
管理権限を有するユーザの操作に応じてグループ毎の初期画面を設定する第３の設定手段と、
前記第１乃至第３の設定手段によって設定される複数の初期画面を表示する順位を、管理権限を有するユーザの操作に応じて設定する第４の設定手段と、
情報処理装置の利用開始時に、前記第４の設定手段により設定された順位に基づく初期画面を表示し、当該初期画面に対応する機能の実行完了後に、順位に基づく更なる初期画面を表示する表示手段と、
を備えることを特徴とする情報処理装置。
【請求項１５】
ユーザからの認証情報の入力を受け付ける受付手段を更に備え、
前記表示手段は、前記情報処理装置の利用が開始される際に、前記受付手段が受け付けた認証情報に基づいてユーザを認証する場合は、前記第４の設定手段により設定された順位に基づく初期画面を表示し、ユーザによって機能が選択された場合に、前記受付手段が受け付けた認証情報に基づいてユーザを認証する場合は、前記第４の設定手段に基づく初期画面の表示を行わず、認証されたユーザによって選択された機能に対応する操作画面を表示することを特徴とする請求項１４に記載の情報処理装置。
【請求項１６】
情報処理装置の制御方法であって、
管理権限を有するユーザの操作に応じて共通の初期画面を設定する第１の設定工程と、
各ユーザの操作に応じてユーザ毎の初期画面を設定する第２の設定工程と、
ユーザ毎の初期画面を表示するか否かを、管理権限を有するユーザの操作に応じて設定する第３の設定工程と、
前記情報処理装置の利用開始時に、前記第３の設定工程によりユーザ毎の初期画面を表示すると設定されていれば、前記第２の設定工程によって設定された初期画面を表示し、前記第３の設定工程によりユーザ毎の初期画面を表示しないと設定されていれば、前記第１の設定工程により設定された初期画面を表示する表示工程と、
を有することを特徴とする情報処理装置の制御方法。
【請求項１７】
情報処理装置の制御方法であって、
管理権限を有するユーザの操作に応じて共通の初期画面を設定する第１の設定工程と、
各ユーザの操作に応じてユーザ毎の初期画面を設定する第２の設定工程と、
前記第１の設定工程により設定される初期画面と前記第２の設定工程により設定される初期画面のどちらを優先させるかを、管理権限を有するユーザの操作に応じて設定する第３の設定工程と、
前記情報処理装置の利用開始時に、前記第３の設定工程により設定された内容に基づいて初期画面を表示する表示工程と、
を有することを特徴とする情報処理装置の制御方法。
【請求項１８】
情報処理装置の制御方法であって、
前記情報処理装置にログインしているユーザの識別情報を取得する取得工程と、
前記ユーザの識別情報と、当該ユーザが所属するグループの識別情報を関連付けて管理する管理工程と、
管理権限を有するユーザの操作に応じて共通の初期画面を設定する第１の設定工程と、
各ユーザの操作に応じてユーザ毎の初期画面を設定する第２の設定工程と、
管理権限を有するユーザの操作に応じてグループ毎の初期画面を設定する第３の設定工程と、
前記第１乃至第３の設定工程によって設定される複数の初期画面を表示する順位を、管理権限を有するユーザの操作に応じて設定する第４の設定工程と、
情報処理装置の利用開始時に、前記第４の設定工程により設定された順位に基づく初期画面を表示し、当該初期画面に対応する機能の実行完了後に、順位に基づく更なる初期画面を表示する表示工程と、
を有することを特徴とする情報処理装置の制御方法。
【請求項１９】
コンピュータを、請求項１から１５のいずれか１項に記載の情報処理相違として動作させるためのコンピュータプログラム。
【手続補正２】
【補正対象書類名】明細書
【補正対象項目名】００１１
【補正方法】変更
【補正の内容】
【００１１】
上記の目的を達成するために本発明の情報処理装置は、管理権限を有するユーザの操作に応じて共通の初期画面を設定する第１の設定手段と、各ユーザの操作に応じてユーザ毎の初期画面を設定する第２の設定手段と、ユーザ毎の初期画面を表示するか否かを、管理権限を有するユーザの操作に応じて設定する第３の設定手段と、前記情報処理装置の利用開始時に、前記第３の設定手段によりユーザ毎の初期画面を表示すると設定されていれば、前記第２の設定手段によって設定された初期画面を表示し、前記第３の設定手段によりユーザ毎の初期画面を表示しないと設定されていれば、前記第１の設定手段により設定された初期画面を表示する表示手段と、を備えることを特徴とする。
また、本発明の情報処理装置は、管理権限を有するユーザの操作に応じて共通の初期画面を設定する第１の設定手段と、各ユーザの操作に応じてユーザ毎の初期画面を設定する第２の設定手段と、前記第１の設定手段により設定される初期画面と前記第２の設定手段により設定される初期画面のどちらを優先させるかを、管理権限を有するユーザの操作に応じて設定する第３の設定手段と、前記情報処理装置の利用開始時に、前記第３の設定手段により設定された内容に基づいて初期画面を表示する表示手段と、を備えることを特徴とする。
また、本発明の情報処理装置は、前記情報処理装置にログインしているユーザの識別情報を取得する取得手段と、前記ユーザの識別情報と、当該ユーザが所属するグループの識別情報を関連付けて管理する管理手段と、管理権限を有するユーザの操作に応じて共通の初期画面を設定する第１の設定手段と、各ユーザの操作に応じてユーザ毎の初期画面を設定する第２の設定手段と、管理権限を有するユーザの操作に応じてグループ毎の初期画面を設定する第３の設定手段と、前記第１乃至第３の設定手段によって設定される複数の初期画面を表示する順位を、管理権限を有するユーザの操作に応じて設定する第４の設定手段と、情報処理装置の利用開始時に、前記第４の設定手段により設定された順位に基づく初期画面を表示し、当該初期画面に対応する機能の実行完了後に、順位に基づく更なる初期画面を表示する表示手段と、を備えることを特徴とする。